(57)【要約】【課題】従来の空気により膨らませて形成する浴槽は、水漏れ防止のための止水の問題があり、また、浴槽が場所を取り、また、必要な浴槽高さを確保することができなかった。【解決手段】本発明の浴槽は、浴槽１の周壁部を形成するための、空気により所望の形状に膨らむ枠体２と、この枠体２に被せて、凹状の入浴空間を形成する防水シート３とよりなり、上記枠体２は、空気を入れた時に板状に形成される複数の枠体片２ａ、２ｂを環状に配置したものであり、  この各板状の枠体片２ａ、２ｂは、空気をいれた時に、所望の長さ及び所望の径の棒状に膨らむ複数の空気袋１０と、この複数の空気袋１０を所望の間隔を開けて並列して配置する手段とよりなりなることを特徴とする。【選択図】図１
2015066154.tif 000002
【特許請求の範囲】
【請求項１】
浴槽の周壁部を形成するための、空気により所望の形状に膨らむ枠体と、
この枠体に被せて、凹状の入浴空間を形成する防水シートとよりなり、
上記枠体は、空気を入れた時に板状に形成される複数の枠体片を環状に配置したものであり、
この各板状の枠体片は、空気をいれた時に、所望の長さ及び所望の径の棒状に膨らむ複数の空気袋と、この複数の空気袋を所望の間隔を開けて並列して配置する手段とよりなりなることを特徴とする浴槽。
【請求項２】
環状に配置された上記枠体の囲い内に背もたれ部材を設け、この背もたれ部材上に上記防水シートを被せることを特徴とする請求項１記載の浴槽。
【請求項３】
上記枠体の上面開口部を塞ぐ、飛沫防止カバーを設けたことを特徴とする請求項１又は２記載の浴槽。
【請求項４】
上記枠体を載置する、空気により直方体状に膨らむ補助台を設け、
この補助台は、空気をいれた時に、所望の長さ及び所望の径の棒状に膨らむ複数の空気袋と、この複数の空気袋を所望の間隔を開けて縦横に並列して配置する手段とよりなることを特徴とする請求項１、２又は３記載の浴槽。
【請求項５】
上記枠体の上面開口部の一部を塞ぐ、空気により板状に膨らむ蓋体を更に設け、
この蓋体は、空気をいれた時に、所望の長さ及び所望の径の棒状に膨らむ複数の空気袋と、この複数の空気袋を所望の間隔を開けて並列して配置する手段とよりなることを特徴とする請求項１、２、３又は４記載の浴槽。
【請求項６】
上記蓋体の下面に節水用空気袋を更に設けると共に、この節水用空気袋の浮き上がりを防止する手段を設けたことを特徴とする請求項１、２、３、４又は５記載の浴槽。
【請求項７】
上記背もたれ部材は、空気により所望の形状に膨らむ背もたれ枠体よりなり、
この背もたれ枠体は、空気をいれた時に、所望の長さ及び所望の径の棒状に膨らむ複数の空気袋と、この複数の空気袋を所望の間隔を開けて縦横に並列して配置する手段とよりなることを特徴とする請求項２、３、４、５又は６記載の浴槽。
【発明の詳細な説明】
【技術分野】
【０００１】
本発明は浴槽、空気袋を膨らませて浴槽を形成する介護用の浴槽に関するものであり、特に、介護者の労力を軽減し、例えば、歩行不自由な被介護者がゆっくりと利用できる浴槽に関するものである。
【背景技術】
【０００２】
従来、浴槽の周壁部を、複数段に積み重ねた環状の空気袋で形成し、この空気袋内に空気を入れて、浴槽を形成したものがある（特許文献１）。
【０００３】
図２５は上記従来の浴槽であり、ａは、浴槽、ｂは、その浴槽ａの周壁部であり、この周壁部ｂは、長円形の環状に形成された複数の空気袋ｂ１、上下に積み重ねて形成されている。
【０００４】
なお、ｃは、上記各空気袋ｂ１の設けた、空気導入口である。
【０００５】
また、ｄは、上記浴槽ａの底面シート部であり、この底面シート部ｄは、長円形状に形成され、上記最下段の空気袋ｂ１の底部に接着されている。
【０００６】
そして、空気が入れられた上記周壁部ｂと上記底面シート部ｄにより囲まれた空間に入浴空間が形成される。
【０００７】
また、ｅは、上記底面シート部ｄ上に設けた背もたれ部であり、この背もたれ部ｅは、傾斜面を有する空気袋からなり、この空気袋の傾斜面により、被介護者が半身を起こす状態で寝ることができるようになる。
【０００８】
このように空気袋を利用した浴槽は、持ち運びが便利で、被介護者のいる室内でも利用できるため、便利である。
【先行技術文献】
【特許文献】
【０００９】
【特許文献１】特開２００３−８８５６６号公報
【発明の概要】
【発明が解決しようとする課題】
【００１０】
しかしながら、上記従来の浴槽ａは、最下段の空気袋ｂ１と底面シート部ｄとを水が漏れないように接着する必要があるため、止水の問題がある。
【００１１】
また、狭い部屋内で使用できるように、浴槽の周壁部の幅、すなわち、各空気袋の径を小さくしつつ、かつ、所望の浴槽高さを得るためには、環状の空気袋を多数段積み重ねる必要がある。また、被介護者が十分にお湯につかれるようにするために、浴槽高さを高くする場合にも、環状の空気袋を多数段積み重ねる必要がある。しかしながら、環状の空気袋は、空気を入れた場合、円形の環状になろうとするため、上記長円形の底面シート部ｄに接続された下段の空気袋ｂ１は、長円形の環状の形状を保てるが、空気袋ｂ１を多数段に積み重ねた場合には、上段に向かうに従って、徐々に長円形の環状が、円形の環状になってしまい、浴槽の形が崩れてしまうと共に、場所をとってしまう。
【００１２】
従って、上記従来の浴槽は、長円形の形を保つためには、空気袋をせいぜい３段程度しか積み重ねることができず、ある程度の浴槽の高さを確保するためには、浴槽の周壁部の幅が大きくなってしまい、また、被介護者が十分にお湯につかれる浴槽高さも得ることもできないという欠点があった。
【００１３】
また、上記背もたれ部ｅも、空気を充填すると球形になってしまうので、傾斜面を作ることが難しく、被介護者が半身を起こす状態で寝られない、という欠点があった。
【００１４】
本発明は、このような問題を解消し、所望の形状の浴槽及び背もたれ部を提供することを目的とする。
【課題を解決するための手段】
【００１５】
本発明の浴槽は、浴槽の周壁部を形成するための、空気により所望の形状に膨らむ枠体と、  この枠体に被せて、凹状の入浴空間を形成する防水シートとよりなり、上記枠体は、空気を入れた時に板状に形成される複数の枠体片を環状に配置したものであり、この各板状の枠体片は、空気をいれた時に、所望の長さ及び所望の径の棒状に膨らむ複数の空気袋と、この複数の空気袋を所望の間隔を開けて並列して配置する手段とよりなりなることを特徴とする。
【００１６】
また、環状に配置された上記枠体の囲い内に背もたれ部材を設け、この背もたれ部材上に上記防水シートを被せることを特徴とする。
【００１７】
また、上記枠体の上面開口部を塞ぐ、飛沫防止カバーを設けたことを特徴とする。
【００１８】
また、上記枠体を載置する、空気により直方体状に膨らむ補助台を設け、この補助台は、空気をいれた時に、所望の長さ及び所望の径の棒状に膨らむ複数の空気袋と、この複数の空気袋の所望の間隔を開けて縦横に並列して配置する手段とよりなることを特徴とする。
【００１９】
また、上記枠体の上面開口部の一部を塞ぐ、空気により板状に膨らむ蓋体を更に設け、  この蓋体は、空気をいれた時に、所望の長さ及び所望の径の棒状に膨らむ複数の空気袋と、この複数の空気袋を所望の間隔を開けて並列して配置する手段とよりなることを特徴とする。
【００２０】
また、上記蓋体の下面に節水用空気袋を更に設けると共に、この節水用空気袋の浮き上がりを防止する手段を設けたことを特徴とする。
【００２１】
また、上記背もたれ部材は、空気により所望の形状に膨らむ背もたれ枠体よりなり、この背もたれ枠体は、空気をいれた時に、所望の長さ及び所望の径の棒状に膨らむ複数の空気袋と、この複数の空気袋を所望の間隔を開けて縦横に並列して配置する手段とよりなることを特徴とする。
【発明の効果】
【００２２】
本発明によれば、浴槽の周壁部の幅を小さくすることができると共に、浴槽高さを高くすることができる。
【００２３】
また、介護者の労力を軽減し、例えば、歩行不自由な被介護者がゆっくりと利用できる浴槽を提供することができる。
【図面の簡単な説明】
【００２４】
【図１】本発明の実施例１の浴槽の斜視図である。
【図２】本発明の実施例１の浴槽の浴槽枠体の平面図である。
【図３】本発明の実施例１の浴槽の浴槽枠体の正面図である。
【図４】本発明の実施例１の浴槽の浴槽枠体の側面図である。
【図５】本発明の実施例１の浴槽の枠膨張部材の正面図である。
【図６】本発明の実施例１の浴槽の長辺側枠体片の正面図である。
【図７】本発明の実施例１の浴槽の空気袋の説明図である。
【図８】本発明の実施例１の浴槽の空気袋の説明図である。
【図９】本発明の実施例１の浴槽の斜視図である。
【図１０】本発明の実施例１の浴槽の使用状態を示す斜視図である。
【図１１】本発明の実施例１の浴槽の他の実施例の枠膨張部材の説明図である。
【図１２】本発明の実施例２の浴槽の正面図である。
【図１３】本発明の実施例２の浴槽の右側面図である。
【図１４】本発明の実施例２の浴槽の平面図である。
【図１５】本発明の実施例２の浴槽の枠体片の平面図である。
【図１６】本発明の実施例２の浴槽の枠体片の正面図である。
【図１７】本発明の実施例２の浴槽の枠体片の側面図である。
【図１８】本発明の実施例３の浴槽の正面図である。
【図１９】本発明の実施例３の浴槽の側面図である。
【図２０】本発明の実施例３の浴槽の台用膨張部材の側面図である。
【図２１】本発明の実施例３の浴槽の台用膨張部材の平面図である。
【図２２】本発明の実施例３の浴槽の台用膨張部材の正面図である。
【図２３】本発明の実施例３の浴槽の蓋用膨張部材の平面図である。
【図２４】本発明の実施例３の浴槽の蓋体の正面図である。
【図２５】本発明の実施例４の背もたれ枠体の正面図である。
【図２６】本発明の実施例４の背もたれ枠体の背もたれ用膨張部材の側面図である。
【図２７】本発明の実施例４の背もたれ枠体の背もたれ用膨張部材の平面図である。
【図２８】本発明の実施例４の背もたれ枠体の正面図である。
【図２９】従来の浴槽の斜視図である。
【発明を実施するための形態】
【００２５】
本発明を実施するための形態の実施例を以下に示す。
【実施例１】
【００２６】
本発明の第１実施例の浴槽１は、図１に示すように、浴槽１の周壁部を形成するための、空気により所望の形状に膨らむ浴槽枠体２と、この浴槽枠体２に上から被せて、凹状の入浴空間を形成するビニールシートなどの防水シート３とよりなる。
【００２７】
また、上記浴槽枠体２は、例えば、図１〜図４に示すように、空気を入れて膨らませた時に矩形板状に形成される２つの短辺側枠体片２ａと２つの長辺側枠体片２ｂとを、面ファスナー４などの連結手段により連結して、こられ枠体片２ａ、２ｂに空気を入れて膨らませた時に、矩形の環状の囲いができるように形成される。
【００２８】
なお、面ファスナー４の代わりに、上記各枠体片２ａ、２ｂの端部をそれぞれ線ファスナー（図示せず）により連結するようにしてもよい。
【００２９】
また、面ファスナー４などの連結手段を用いずに、例えば、上記枠体片２ａ、２ｂを環状に配置し、上記防水シート３上から被せて、上記枠体片２ａ、２ｂが連結されるようにして、環状の囲いができるようにしてもよい。
【００３０】
なお、矩形状の底布２ｃを設け、この底布２ｃの四辺に、上記各枠体片２ａ、２ｂの下部を線ファスナー等（図示せず）により接続させて、浴槽枠体２の形状を保つようにしてもよい。なお、この底布２ｃは設けなくてもよい。
【００３１】
また、上記防水シート３は、例えば、弾力性のある矩形状のシートよりなり、空気が入れられた上記浴槽枠体２の各枠体片２ａ、２ｂの外周面の中間部から、上端面を経由して内周面に沿って張り付くように上から被せて、凹状の入浴空間を形成する。
【００３２】
また、上記各枠体片２ａ、２ｂは、空気を入れた時に、それぞれ矩形板状となる枠用膨張部材５と、この枠用膨張部材５を挿入する矩形の袋状のカバー体６とよりなり、上記枠用膨張部材５は、図５に示すように、一端が閉塞し、他端に空気導入用の接続部７が形成された一方の連結ホース８と、この一方の連結ホース８に所望の間隔を開けて並行して設けた、両端が閉塞した他方の連結ホース９と、この一方の連結ホース８と他方の連結ホース９とを、所望の間隔で並列して、気密に連通した複数の空気袋１０とよりなり、この各空気袋１０は、上記接続部７から空気を入れた時に、後述するように、材質の特性により、棒状に膨らむようになる。
【００３３】
なお、上記各枠体片２ａ、２ｂは、例えば、その下部に上記一方の連結ホース８が位置し、上部に上記他方の連結ホース９が位置するようにする。
【００３４】
また、上記カバー体６は、濡れた場合の吸水性のない化学繊維製のものが好ましく、また、軽量化のためにメッシュ状のものが好ましい。また、上記カバー体６には、図６に示すように、一方の面の中央部に長手方向に延びる線ファスナー部１１が設けられ、このファスナー部１１を開口することにより、上記枠用膨張部材５が挿入される。なお、挿入の際は、上記枠用膨張部材５から空気を抜いておけば、入れやすい。
【００３５】
また、上記カバー体６の角部には、上記枠用膨張部材５の接続部７を外部に突出させるための開口部１２が形成されている。
【００３６】
また、上記空気袋１０は、合成繊維の織布や、織布又は不織布にゴムを張り合わせたゴム引布などにより形成され、空気圧では、所望の長さ及び所望の径以上に膨らまない、材質に伸縮性のない気密の筒状の袋であり、上記空気袋１０に空気を入れない場合には、図７に示すように、縮小し、空気を入れた場合には、図８に示すように、所望の長さ、所望の径まで棒状に膨張する。なお、上記空気袋１０の直径は、例えば４０ｍｍ〜５０ｍｍで、加圧される空気圧は例えば、０．０５〜０．０３Ｍｐａ（０．５〜０．３Ｋｇ／ｃｍ2）であるが、必ずしも、この数値である必要はない。
【００３７】
なお、上記空気袋１０が、ゴム引布であれば、十分断熱効果もある。
【００３８】
また、上記連結ホース８、９は、ゴム製又は、上記空気袋１０と同じ材質で形成される気密のホースである。なお、この連結ホース８，９の直径は、上記空気袋１０と同様に、例えば４０ｍｍ〜５０ｍｍで、加圧される空気圧は例えば、０．０５〜０．０３Ｍｐａ（０．５〜０．３Ｋｇ／ｃｍ2）であるが、必ずしも、この数値である必要はない。
【００３９】
そして、上記各枠体片２ａ、２ｂの空気導入用の接続部７に、加圧用コンプレッサー（図示せず）を接続して、上記一方の連結ホース８に空気を導入すれば、図１〜図４に示すように、上記一方及び他方の連結ホース８、９及び、上記各空気袋１０が棒状に膨らみ、上記枠体片２ａ、２ｂが厚みのある矩形板状になり、起立した浴槽１の周壁部を形成させることができる。
【００４０】
なお、上記接続部７と上記加圧用コンプレッサーとの接続は、ワンタッチで脱着できることが好ましく、また、上記接続部７と上記加圧用コンプレッサーとの間にストップバルブを設ければ、圧力抜け防止と減圧調整ができるようになる。
【００４１】
次に本発明の第１の実施例の浴槽の使用方法について説明する。
【００４２】
浴槽として使用する前は、図９に示すように、例えば、被介護者のいる部屋の床上に、例えば、クッション材１３を敷き、その上に、空気を入れない状態の環状の浴槽枠体２を設置する。
【００４３】
なお、このクッション材１３は省略しても良いが、例えば、床面がコンクリート、タイル、フローリング等の比較的床面が固い場合に使用すれば、快適さが増すので好ましく、また、断熱効果を得られるので好ましい。
【００４４】
そして、上記環状の浴槽枠体２の底布２ｃ上に、座椅子や背もたれクッション等の背もたれ部材１４を載置する。そして、上記浴槽枠体２及び上記背もたれ部材１４の上に防水シート３を被せる。
【００４５】
なお、１５は、浴槽枠体２の下面と上記クッション材１３とのズレ防止用の面ファスナーなどの連結部材である。
【００４６】
そして、被介護者を上記防水シート３が被された座椅子などの背もたれ部材１４上に移動する。
【００４７】
なお、上記背もたれ部材１４は、座椅子以外でも、入浴時に被介護者の顔が水面より上に出るように形成された背中をもたせかけるものであればよく、また、シートに傷をつけないものであればよい。また、上記背もたれ部材１４はリクライニングできるのが好ましい。
【００４８】
また、上記浴槽枠体２に、空気を入れる前は、上記浴槽枠体２は加圧膨張前であるため、高さは１０ｃｍ以下となっている。従って、歩行不自由な被介護者を介護者が上記背もたれ部材１４まで移動させる労力を軽減することができる。
【００４９】
そして、浴槽として使用する場合には、図１０に示すように、上記各枠体片２ａ、２ｂの各空気導入用の接続部７に、加圧用コンプレッサー１６を接続して、上記一方の連結ホース８に空気を導入し、上記各空気袋１０及び上記他方の連結ホース９に空気を行き渡らせて、起立した浴槽１の周壁部を形成させ、上記浴槽枠体２上に被せた防水シート３により、凹状の入浴空間を形成させる。
【００５０】
そして、例えば、シャワー装置１７により、浴槽１内にお湯を供給すると共に、上記排水ポンプ１８により適宜お湯を排水することにより、被介護者は入浴することができるようになる。
【００５１】
なお、１９は、上記シャワー装置１７の石油又はガスなどの給湯装置、２０は、上記コンプレッサー１６や上記排水ポンプ１８や上記給湯装置１９の制御装置、２１は、上記制御装置２０のリモコンスイッチである。
【００５２】
また、２２は、上記シャワー装置１７のトリガーであり、例えば、このトリガー２２を握ればお湯が出て、トリガーを離せば、お湯が止まるように形成されている。
【００５３】
なお、上記空気袋の減圧には、掃除機を使用し、空気を吸引するようにする。
【００５４】
本発明の第１の実施例の浴槽によれば、空気を利用して浴槽を形成するものであるから、軽量である。また、枠体片２ａ、２ｂ、底布２ｃなどは、ファスナーで連結されているので、空気を抜くと共に、各部材の接続を解除し分解すれば、コンパクトに収納できる。従って、介護者の搬送労力の軽減を図ることができる。
【００５５】
また、本願の浴槽は、製造に特殊な技術を必要としないので、低コストにより浴槽を提供できる。
【００５６】
また、浴槽空間を形成した浴槽枠体２上及び、座椅子などの背もたれ部材１４上に防水シート３を被せるだけで、各部材の接続部の止水を考慮することなく、浴槽及び背もたれ部を形成することができる。
【００５７】
また、上記浴槽枠体２及び背もたれ部材１４として防水のものを用いる必要はない。
【００５８】
また、径の細い空気袋を利用すれば、浴槽１の周壁部の幅を薄くすることができ、また、空気袋の長さを長くすれば、浴槽高さを高くできるようになる。
【００５９】
また、矩形板状の枠体片２ａ、２ｂは、空気を入れても矩形の形状は変わらないので、上記枠体片２ａ、２ｂを組み合わせることにより、矩形の浴槽を形成でき、狭い部屋で使用できるようになる。従って、例えば、入浴者の寝床に隣接して、浴槽を設置することができる。また、病院等では、患者のベッドの上に設置することもできるので、入浴の労力軽減を図ることができる。
【００６０】
また、背もたれ部材１４は、防水である必要がないので、どのような座椅子等であっても利用ができ、一般の座椅子でもよく、また、背もたれがリクライニングなどするため、被介護者が楽な姿勢で入浴することができ、ゆっくりと入浴することができる。
【００６１】
なお、作業性から、上記座椅子等の背もたれ部材は、キャスター付きが好ましい。
【００６２】
なお、図１１に示すように、上記枠用膨張部材５の他方の連結ホース９を省略して、互いに隣接する上記空気袋１０の遊端開口部を連結して、逆Ｕ字状となる空気袋２３に形成し、枠用膨張部材５を形成するようにしても良い。なお、図１１中、丸で囲んだ部分Ａは、上記空気袋１０の遊端開口部を連結した部分を示す。
【００６３】
なお、この場合、各逆Ｕ字状の空気袋２３は、空気を入れることにより、それぞれ逆Ｕ字状から円形になろうとし、隣接する逆Ｕ字状の空気袋２３が互い違いに重なりあって、上記逆Ｕ字状の空気袋２３が高さ方向に伸びないおそれがある。そこで、互いに隣接する上記逆Ｕ字状の空気袋２３を面ファスナー等の連結手段２４により連結し、互いの逆Ｕ字状の空気袋２３が互い違い重なり合わないようにする。なお、図１１中、点線で囲んだ部分Ｂは、隣接する上記逆Ｕ字状の空気袋２３を連結すべき部分を示す。
【実施例２】
【００６４】
図１２〜図１７は、本発明の第２実施例の浴槽を示し、この第２実施例の浴槽は、上記第１実施例の浴槽１を膨らませた後、この浴槽１に、この浴槽１の上面開口部２５を覆う、シャワー等の飛沫が外部に出ないようにするための、飛沫防止カバー装置２６を設ける。
【００６５】
上記飛沫防止カバー装置２６は、フレーム部２７と、このフレーム部２７に装着される透明防水シート２８とより、上記フレーム部２７は、逆Ｕ字状に形成された複数の軽量アルミパイプ２９よりなる。
【００６６】
そして、この各パイプ２９は、上記浴槽１の一端から他端に向かって、所望の間隔をおいて、配置され、上記各パイプ２９の一方の脚部２９ａの下端と他方の脚部２９ｂの下端が、それぞれ、上記浴槽１の浴槽枠体２の一方の長辺側枠体片２ｂと他方の長辺側枠体片２ｂの外面下端部に設けた筒状袋３０に挿入されると共に、この筒状袋３０と上記脚部２９ａ、２９ｂの下端とを面ファスナーなどの連結手段３１で接続することにより、上記各パイプ２９を上記浴槽枠体２に固定するようにする。なお、図１２、１３中、丸で囲んだ部分Ｃは、連結手段３１により固定した部分を示す。
【００６７】
また、上記透明防水シート２８は、上記フレーム部２７の各パイプ２９の内側に脱着自在に面ファスナー等により固定される、上記一方の長辺側枠体２ｂの上端面から、上記他方の長辺側枠体２ｂの上端面までを覆う、弧状に湾曲した天井部シート部２８ａと、上記フレーム部２７の一端側のパイプ２９に脱着自在に面ファスナー等により固定される、上記天井部シート部２８ａの一端面を塞ぐ一端面シート部２８ｂと、被介護者が入浴した時に、この被介護者の首付近に位置するパイプ２９に脱着自在に面ファスナー等により固定される、上記天井部シート部２８ａの中間面を塞ぐ中間面シート部２８ｃとよりなり、上記天井部シート部２８ａと上記一端面シート部２８ｂと上記中間面シート部２８ｃにより、閉鎖空間を形成し、外部にシャワー等の飛沫が飛ばないようにする。
【００６８】
なお、上記フレーム部２７の他端側のパイプ２９には、被介護者の頭部洗髪用のためや、被介護者の閉塞感を無くすために、防水シートは設けられていない。但し、上記フレーム部２７の他端側のパイプ２９に防水シートを設けるようにしてもよい。
【００６９】
また、上記中間面シート部２８ｃには、被介護者の首が挿通できる開口部３２が形成され、被介護者の頭部が、閉鎖空間内に位置しないようにする。
【００７０】
また、図１３中、丸で囲んだ部分Ｄは、上記中間面シート部２８ｃの下端が浴槽１内まで垂れ下がっていることを示し、これにより、外部に飛沫が飛ばない様になる。
【００７１】
また、上記各パイプ２９の一方の脚部２９ａと他方の脚部２９ｂとを連結するベルト３３を設け、浴槽内に貯まった水の水圧により、上記浴槽１の開口面が広がらないようにする。なお、上記ベルト３３は、上記浴槽の上面開口部２５に位置する場所に設けられるのが好ましい。
【００７２】
なお、上記浴槽１を水を貯めずに、シャワー洗いとして使う場合には、上記ベルト３３は省略してもよい。
【００７３】
また、上記防水シート２８には、複数の手挿入口部３４が設けられ、この手挿入口部３４は、例えば、開口部３４ａを有するゴムなどの弾性シートよりなり、この開口部３４ａは、手を挿入しない場合には、縮小し、内部の飛沫が外部に飛ばないようし、手を挿入した場合には、拡大するように形成されている。なお、上記防水シート２８の内面に、上記手挿入口部３４を塞ぐひたたれを設けてもよい。  
【００７４】
また、上記飛沫防止カバー装置２６のパイプ２９の上部に、用具入れバケット３５を吊下げてもよい。
【００７５】
本発明の第２の実施例においては、上記浴槽１において、シャワー装置を使用したり、身体を洗う場合に、水滴が外部に漏れることがなくなる。
【００７６】
また、被介護者の頭部は、閉鎖空間内に位置しないので、洗髪等が容易になる。
【実施例３】
【００７７】
図１８及び図１９は、本発明の第３の実施例の浴槽を示し、この第３実施例の浴槽は、第２実施例の浴槽１の下に、空気を入れることにより直方体状に膨らむ、例えば３つの補助台３６を設ける。
【００７８】
なお、図１８中の一番右の補助台３６は、後述するカバー体４０を省略したものであり、カバー体４０の中身の後述する台用膨張部材３９が見えた状態を示し、また、図１９の補助台３６も同様に、カバー体４０を省略したものであり、カバー体４０の中身の台用膨張部材３９が見えた状態を示す。
【００７９】
なお、３７は、互いに隣り合う補助台３６を連結する連結ベルトなどの連結部材である。
【００８０】
また、この第３の実施例は、３つの補助台３６により上記第２実施例の浴槽１を支持する例を示したが、１つの補助台又は、複数の補助台を用いて、上記浴槽１を支持できるようにしてもよい。
【００８１】
また、例えば、フレーム部２７の一端側のパイプ２９に、上記浴槽１の上面開口部２５の一端側を覆う蓋体３８を設ける。なお、この蓋体３８は、上記ベルト３３の下に位置され、浮き上がりを防止するようにする。
【００８２】
上記補助台３６は、空気を入れた時に、直方体状となる台用膨張部材３９と、この台用膨張部材３９を挿入する直方体状の袋状のカバー体４０とよりなる。なお、図２０〜図２１においては、上記カバー体４０を省略したものであり、各図は、上記カバー体４０の中身の台用膨張部材３９が見えた状態を示し、カバー体４０は点線で示される。
【００８３】
そして、上記台用膨張部材３９は、例えば、図２０〜図２２に示すように、一端が閉塞し、他端に空気導入用の接続部４１が形成された一方の連結ホース４２と、この一方の連結ホース４２に所望の間隔を開けて並行して設けた、両端が閉塞した他方の連結ホース４３と、この一方の連結ホース４２と他方の連結ホース４３とを、所望の間隔で、気密に連結した、複数の中間連結ホース４４と、この各中間連結ホース４４の上面に、所望の間隔で並列して、その基部を気密に連通した複数の筒状の空気袋４５と、互いに隣接する上記空気袋４５の遊端開口部を連結した連結部４５ａとよりなり、上記互いに隣接する空気袋４５は、上記接続部４１から空気を入れた時に、上に向かって逆Ｕ字状に膨らむ空気袋４６を形成するようになる。
【００８４】
なお、図２１中、斜線を引いた部分が、上記逆Ｕ字状に形成された空気袋４６を示す。
【００８５】
また、図２１に示すように、上記空気袋４５は、所望の間隔を開けて縦横に並列して配置されるようになる。
【００８６】
なお、上記各逆Ｕ字状の空気袋４６は、上述した逆Ｕ字状の空気袋２３と同様に、空気を入れることにより、それぞれ逆Ｕ字状から円形になろうとし、隣接する逆Ｕ字状の空気袋４６が互い違いに重なりあって、上記逆Ｕ字状の空気袋４６が高さ方向に伸びないおそれがある。そこで、互いに隣接する上記逆Ｕ字状の空気袋４６を面ファスナー等の連結手段により連結し、互いの逆Ｕ字状の空気袋４６が互い違い重なり合わないようにする。なお、図２０中、点線で囲んだ部分Ｅは、隣接する上記逆Ｕ字状の空気袋４６を連結すべき部分を示す。
【００８７】
また、上記補助台３６は、例えば、その底部に各連結ホース４２、４３、４４が位置するようにする。
【００８８】
また、上記カバー体４０は、濡れた場合の吸水性のない化学繊維製のものが好ましく、また、軽量化のためにメッシュ状のものが好ましく、また、上記カバー体４０には、一方の面の中央部に長手方向に延びるファスナー部（図示せず）が設けられ、このファスナー部を開口することにより、上記台用膨張部材３９が挿入される。なお、挿入の際は、上記台用膨張部材３９から空気を抜いておけば、入れやすい。
【００８９】
なお、上記カバー体４０の角部には、上記台用膨張部材３９の接続部４１を外部に突出させるための開口部（図示せず）が形成されている。
【００９０】
また、上記空気袋４５は、上記空気袋１０と同じ材質で、所望の長さ、所望の幅以上に膨らまない、材質に伸縮性のない気密の筒状の袋である。
【００９１】
また、上記各連結ホース４２、４３、４４は、ゴム製又は、上記空気袋４５と同じ材質で形成される気密のホースである。
【００９２】
そして、上記各補助台３６の１か所の空気導入用の接続部４１に、加圧用コンプレッサー（図示せず）の先端部１６ａをストップバルブ５５を介して接続して、上記一方の連結ホース４２に空気を導入すれば、図２０〜図２２に示すように、上記各空気袋４６が膨らみ、上記補助台３６を直方体状に形成させることができる。
【００９３】
なお、上記接続部４１と上記加圧用コンプレッサーの先端部１６ａとの接続は、ワンタッチで脱着できることが好ましく、また、上記接続部７と上記加圧用コンプレッサーとの間にストップバルブ５５を設けることにより、圧力抜け防止と減圧調整ができるようにする。
【００９４】
なお、上記隣接する各空気袋４５の遊端開口部を連結する代わりに、別途連結ホースを設け、この連結ホースに各空気袋４５の遊端開口部を連通するようにしてもよい。
【００９５】
また、上記蓋体３８は、図２３及び図２４に示すように、空気を入れて膨らませた時に矩形板状に形成される蓋枠体４７と、この蓋枠体４７の下面に面ファスナー等により着脱自在に固定した節水用袋４８とよりなり、上記蓋枠体４７は、空気を入れた時に、矩形板状となる蓋用膨張部材４９と、この蓋用膨張部材４９を挿入する矩形の袋状のカバー体５０とよりなる。
【００９６】
なお、図２３は、上記カバー体５０を省略したもので、上記カバー体５０の中身の蓋用膨張部材４９が見えた状態を示し、カバー体５０は点線で示される。
【００９７】
なお、上記蓋体３８は、上記ベルト３３の下に位置され、上記節水用袋４８が水面から浮き上がらないようにする。
【００９８】
また、３８ａは、上記蓋体３８を上記一端側のパイプ２９に傾動自在に枢支した枢支部である。
【００９９】
また、上記蓋用膨張部材４９は、図２３に示すように、一端が閉塞し、他端に空気導入用の接続部５１が形成された一方の連結ホース５２と、この一方の連結ホース５２に所望の間隔を開けて並行して設けた、両端が閉塞した他方の連結ホース５３と、この一方の接続ホース５２と他方の連結ホース５３とを、所望の間隔で、気密に連通した空気袋５４とよりなり、この空気袋５４は、上記接続部５１から空気をいれた時に、材質の特性により、棒状に膨らむようになる。
【０１００】
また、上記カバー体５０は、濡れた場合の吸水性のない化学繊維製のものが好ましく、また、軽量化のためにメッシュ状のものが好ましく、また、上記カバー体５０には、一方の面の中央部に長手方向に延びるファスナー部（図示せず）が設けられ、このファスナー部を開口することにより、上記蓋用膨張部材４９が挿入される。なお、挿入の際は、上記蓋用膨張部材４９から空気を抜いておけば、入れやすい。
【０１０１】
また、上記カバー体５０の角部には、上記蓋用膨張部材４９の接続部５１を外部に突出させるための開口部（図示せず）が形成されている。
【０１０２】
なお、上記カバー体５０は、入浴中の要介護の身体が上から見えないように非透明とし、内部に水が入らない構造であることが好ましい。
【０１０３】
また、上記空気袋５４は、上記空気袋１０と同じ材質で、所望の長さ、所望の径以上に膨らまない、、材質に伸縮性のない気密の筒状の袋である。
【０１０４】
なお、上記連結ホース５２、５３は、ゴム製又は、上記空気袋１０と同じ材質で形成される気密のホースである。
【０１０５】
そして、上記蓋体３８の空気導入用の接続部５１に、加圧用コンプレッサー（図示せず）の先端部１６ａをストップバルブ５６を介して接続して、上記一方の連結ホース５２に空気を導入すれば、上記各空気袋５４が棒状に膨らみ、上記蓋体３８が、厚みのある矩形板状になる。
【０１０６】
なお、上記接続部５１と上記加圧用コンプレッサーの先端部１６ａとの接続は、ワンタッチで脱着できることが好ましく、また、上記接続部７と上記加圧用コンプレッサーとの間にストップバルブ５６を設けることにより、圧力抜け防止と減圧調整ができるようにする。
【０１０７】
また、上記節水用袋４８は、所望の量の空気が入れられた気密性のある袋である。この所望の量の空気は、浴槽内の水を排除する量に応じて、調節可能に形成されている。また、空気圧を小さくして、変形自在に設けている。
【０１０８】
また、上記節水用袋４８は、例えば、上記空気袋１０と同じ材質で、所望の長さ、所望の幅以上に膨らまない袋である。
【０１０９】
なお、５７は、上記節水用袋４８の空気導入口であり、５８は、加圧用コンプレッサー（図示せず）の先端部１６ａと上記空気導入口５７との間に設けられたストップバルブである。
【０１１０】
本発明の第３の実施例のおいては、図９の空気が入れていない状態から、まず、上記台用膨張部材３９に空気を入れることにより、所望の高さとし、これにより、例えば、被介護者をベッドから上記補助台３６上へ移動するのが容易になる。
【０１１１】
なお、上記高さは、上記補助台３６に導入する空気の圧を調整することにより、調整可能となる。
【０１１２】
そして、上述したように、上記浴槽枠体２に空気を入れることにより、浴槽１を形成する。そして、上記浴槽１に飛沫防止カバー装置２６を設ける。
【０１１３】
そして、上記蓋体３８に空気を入れることにより、矩形板状の蓋体３８が形成される。これにより、被介護者の身体を覆い、被介護者の身体が上から見えない様になる。
【０１１４】
また、上記蓋体３８は、上記ベルト３３の下に位置されているため、浴槽内の水から浮き上がらず、上記節水用袋４８により浴槽内の水を排除して、少ない水量で、浴槽１内の水位を上げることができ、節水効果を得ることができるようになる。
【実施例４】
【０１１５】
図２５〜図２８は、本発明の第４の実施例を示し、この第４実施例においては、上記背もたれ部材１４を、空気により所望の形状に膨らむ背もたれ枠体５９により形成させる。
【０１１６】
なお、図２５中の背もたれ枠体５９は、後述するカバー体６１を省略したものであり、カバー体６１の中身の後述する背もたれ用膨張部材６０が見えた状態を示す。
【０１１７】
上記背もたれ枠体５９は、空気を入れた時に、背もたれ位置に傾斜面を有する形状、例えば、三角柱状となる背もたれ用膨張部材６０と、この背もたれ用膨張部材６０を挿入する、例えば、三角柱状の袋状のカバー体６１とよりなる。なお、図２６〜図２８においては、上記カバー体６１を省略したものであり、各図は、上記カバー体６１の中身の背もたれ用膨張部材６０が見えた状態を示し、カバー体６１は点線で示される。
【０１１８】
そして、上記背もたれ用膨張部材６０は、例えば、図２５〜図２７に示すように、一端が閉塞し、他端に空気導入用の接続部６２が形成された一方の連結ホース６３と、この一方の連結ホース６３に所望の間隔を開けて並行して設けた、両端が閉塞した他方の連結ホース６４と、この一方の連結ホース６３と他方の連結ホース６４とを、所望の間隔で、気密に連結した、複数の中間連結ホース６５と、この各中間連結ホース６５の上面に、所望の間隔で並列して、その基部を気密に連通した複数の筒状の空気袋６６と、互いに隣接する上記空気袋６６の遊端開口部を連結した連結部６６ａとよりなり、上記互いに隣接する空気袋６６は、上記接続部６２から空気を入れた時に、上に向かって逆Ｕ字状に膨らむ空気袋６７を形成するようになる。
【０１１９】
なお、図２７中、斜線を引いた部分が、上記逆Ｕ字状に形成された空気袋６７を示す。
【０１２０】
また、図２７に示すように、上記空気袋６６は、所望の間隔を開けて縦横に並列して配置される。また、図２５及び図２６に示すように、上記各中間連結ホース６５に連結された空気袋６６の長さは、同じ中間連結ホース６５に連結された空気袋６６の長さは同じであるが、異なる中間連結ホース６５に連結された空気袋６６の長さは、上記一方の連結ホース６３の一端側６３ａから他端側に向かって、徐々に短くなるように形成され、上記背もたれ用膨張部材６０に空気が入れられた時に、背もたれ位置に傾斜面を有する形状となるようにする。
【０１２１】
なお、上記空気袋６６の長さは、背もたれ形状に合わせて自由に設計可能である。
【０１２２】
なお、上記各逆Ｕ字状の空気袋６７は、上述した逆Ｕ字状の空気袋２３、４６と同様に、空気を入れることにより、それぞれ逆Ｕ字状から円形になろうとし、隣接する逆Ｕ字状の空気袋６７が互い違いに重なりあって、上記逆Ｕ字状の空気袋６７が高さ方向に伸びないおそれがある。そこで、互いに隣接する上記逆Ｕ字状の空気袋６７を面ファスナー等の連結手段により連結し、互いの逆Ｕ字状の空気袋６７が互い違い重なり合わないようにする。なお、図２６中、点線で囲んだ部分Ｆは、隣接する上記逆Ｕ字状の空気袋６７を連結すべき部分を示す。
【０１２３】
また、上記背もたれ枠体５９は、例えば、その底部に各連結ホース６３、６４、６５が位置するようにする。
【０１２４】
また、上記カバー体４０の材質等は、上記カバー体５、４０と同じである。
【０１２５】
また、上記空気袋６６は、上記空気袋１０、４５と同じ材質で、所望の長さ、所望の幅以上に膨らまない、材質に伸縮性のない気密の筒状の袋である。
【０１２６】
また、上記各連結ホース６３、６４、６５は、ゴム製又は、上記空気袋６６と同じ材質で形成される気密のホースである。
【０１２７】
そして、上記背もたれ枠体５９の空気導入用の接続部６２に、加圧用コンプレッサー（図示せず）の先端部１６ａをストップバルブ６８を介して接続して、上記一方の連結ホース６３に空気を導入すれば、図２５〜図２７に示すように、上記各空気袋６７が膨らみ、上記背もたれ部材５９を、背もたれ位置に傾斜面を有する形状、例えば、三角柱状に形成させることができる。
【０１２８】
なお、上記隣接する各空気袋６６の遊端開口部を連結する代わりに、別途連結ホースを設け、この連結ホースに各空気袋６６の遊端開口部を連通するようにしてもよい。
【０１２９】
本発明の第４の実施例においては、上述した第１の実施例の使用方法と同じで、図２８に示すように、空気を入れない状態の上記環状の浴槽枠体２の底布２ｃ上に、空気を入れない状態の上記背もたれ枠体５９を載置し、そして、上記浴槽枠体２及び上記背もたれ枠体５９の上に防水シート３を被せる。
【０１３０】
なお、上記底布２ｃの上面と上記背もたれ部材５９の下面と間には、位置がずれないように、面ファスナー等により固定するようにする。なお、この固定により、上記背もたれ枠体５９を膨らませた時にも、上記背もたれ枠体５９の形状も保つことができるようになる。なお、図２５、図２６、図２８において、矢印Ｆの囲まれた部分が上記底布２ｃと上記背もたれ部材５９とを固定する部分を示す。
【０１３１】
そして、被介護者を上記防水シート３が被された背もたれ部材５９上に移動し、単に背もたれとして使用する場合には、背もたれ部材５９にのみ空気を入れ、浴槽として使用する場合には、浴槽枠体２にも空気を入れるようにする。
【０１３２】
この実施例によれば、背もたれ部材も、空気で膨らませるようにしたので、軽量である。また、空気を抜くと共に、各部材の接続を解除し分解すれば、コンパクトに収納できる。従って、介護者の搬送労力の軽減を図ることができる。
【０１３３】
また、本願の背もたれ部材は、製造に特殊な技術を必要としないので、低コストにより背もたれ部材を提供できる。
【符号の説明】
【０１３４】
１                      浴槽
２                      浴槽枠体
２ａ                    短辺側枠体片
２ｂ                    長辺側枠体片
２ｃ                    底布
３                      防水シート
４                      面ファスナー
５                      枠用膨張部材
６                      カバー体
７                      接続部
８                      一方の連結ホース
９                      他方の連結ホース
１０                    空気袋
１１                    ファスナー部
１２                    開口部
１３                    クッション材
１４                    背もたれ部材
１５                    連結部材
１６                    コンプレッサー
１６ａ                  先端部
１７                    シャワー装置
１８                    排水ポンプ
１９                    給湯装置
２０                    制御装置
２１                    リモコンスイッチ
２２                    トリガー
２３                    空気袋
２４                    連結手段
２５                    開口部
２６                    飛沫防止カバー装置
２７                    フレーム部
２８                    防水シート
２８ａ                  天井部シート部
２８ｂ                  一端面シート部
２８ｃ                  中間面シート部
２９                    パイプ
２９ａ                  一方の脚部
２９ｂ                  他方の脚部
３０                    筒状袋
３１                    連結手段
３２                    開口部
３３                    ベルト
３４                    手挿入口部
３４ａ                  開口部
３５                    バケット
３６                    補助台
３７                    連結部材
３８                    蓋体
３８ａ                  枢支部
３９                    台用膨張部材
４０                    カバー体
４１                    接続部
４２                    一方の連結ホース
４３                    他方の連結ホース
４４                    中間連結ホース
４５                    空気袋
４５ａ                  連結部
４６                    空気袋
４７                    蓋枠体
４８                    節水用袋
４９                    蓋用膨張部材
５０                    カバー体
５１                    接続部
５２                    一方の連結ホース
５３                    他方の連結ホース
５４                    空気袋
５５                    ストップバルブ
５６                    ストップバルブ
５７                    空気導入口
５８                    ストップバルブ
５９                    背もたれ枠体
６０                    背もたれ用膨張部材
６１                    カバー体
６２                    接続部
６３                    一方の連結ホース
６３ａ                  一端
６３ｂ                  他端
６４                    他方の連結ホース
６５                    中間連結ホース
６６                    空気袋
６６ａ                  連結部
６７                    空気袋
６８                    ストップバルブ
【図１】
2015066154.tif 000003
【図２】
2015066154.tif 000004
【図３】
2015066154.tif 000005
【図４】
2015066154.tif 000006
【図５】
2015066154.tif 000007
【図６】
2015066154.tif 000008
【図７】
2015066154.tif 000009
【図８】
2015066154.tif 000010
【図９】
2015066154.tif 000011
【図１０】
2015066154.tif 000012
【図１１】
2015066154.tif 000013
【図１２】
2015066154.tif 000014
【図１３】
2015066154.tif 000015
【図１４】
2015066154.tif 000016
【図１５】
2015066154.tif 000017
【図１６】
2015066154.tif 000018
【図１７】
2015066154.tif 000019
【図１８】
2015066154.tif 000020
【図１９】
2015066154.tif 000021
【図２０】
2015066154.tif 000022
【図２１】
2015066154.tif 000023
【図２２】
2015066154.tif 000024
【図２３】
2015066154.tif 000025
【図２４】
2015066154.tif 000026
【図２５】
2015066154.tif 000027
【図２６】
2015066154.tif 000028
【図２７】
2015066154.tif 000029
【図２８】
2015066154.tif 000030
【図２９】
2015066154.tif 000031
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
浴槽の周壁部を形成するための、空気により所望の形状に膨らむ枠体と、
この枠体に被せて、凹状の入浴空間を形成する防水シートとよりなり、
上記枠体は、空気を入れた時に矩形板状に形成される２つの短辺側枠体片と２つの長辺側枠体片を矩形の環状に配置したものであり、
この各矩形板状の枠体片は、
空気導入用の接続部が形成された一方の連結ホースと、
この一方の連結ホースに所望の間隔を開けて並行して設けた、他方の連結ホースと、
上記一方の連結ホースと他方の連結ホースとを、所望の間隔で並列して、気密に連通した複数の空気袋とよりなり、
上記空気袋は、所望の長さ及び所望の径以上に膨らまない、材質に伸縮性のない気密の筒状の袋であり、
上記一方及び他方の連結ホースは、それぞれ材質に伸縮性のない気密のホースであり、
上記各枠体片は、上記空気導入用の接続部から空気を入れた時に、それぞれ矩形板状となることを特徴とする浴槽。
【請求項２】
環状に配置された上記枠体の囲い内の床面上に背もたれ部材を設け、この背もたれ部材上に上記防水シートを被せることを特徴とする請求項１記載の浴槽。
【手続補正２】
【補正対象書類名】明細書
【補正対象項目名】０００３
【補正方法】変更
【補正の内容】
【０００３】
図２９は上記従来の浴槽であり、ａは、浴槽、ｂは、その浴槽ａの周壁部であり、この周壁部ｂは、長円形の環状に形成された複数の空気袋ｂ１、上下に積み重ねて形成されている。
【手続補正３】
【補正対象書類名】明細書
【補正対象項目名】００１５
【補正方法】変更
【補正の内容】
【００１５】
本発明の浴槽は、浴槽の周壁部を形成するための、空気により所望の形状に膨らむ枠体と、この枠体に被せて、凹状の入浴空間を形成する防水シートとよりなり、上記枠体は、空気を入れた時に矩形板状に形成される２つの短辺側枠体片と２つの長辺側枠体片を矩形の環状に配置したものであり、この各矩形板状の枠体片は、空気導入用の接続部が形成された一方の連結ホースと、この一方の連結ホースに所望の間隔を開けて並行して設けた、他方の連結ホースと、上記一方の連結ホースと他方の連結ホースとを、所望の間隔で並列して、気密に連通した複数の空気袋とよりなり、上記空気袋は、所望の長さ及び所望の径以上に膨らまない、材質に伸縮性のない気密の筒状の袋であり、上記一方及び他方の連結ホースは、それぞれ材質に伸縮性のない気密のホースであり、上記各枠体片は、上記空気導入用の接続部から空気を入れた時に、それぞれ矩形板状となることを特徴とする。
【手続補正４】
【補正対象書類名】明細書
【補正対象項目名】００１６
【補正方法】変更
【補正の内容】
【００１６】
また、環状に配置された上記枠体の囲い内の床面上に背もたれ部材を設け、この背もたれ部材上に上記防水シートを被せることを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
浴槽の周壁部を形成するための、空気により所望の形状に膨らむ枠体と、
この枠体に被せて、凹状の入浴空間を形成する防水シートとよりなり、
上記枠体は、空気を入れた時に矩形板状に形成される２つの短辺側枠体片と２つの長辺側枠体片を矩形の環状に配置したものであり、
この各矩形板状の枠体片は、
一端が閉塞し、他端に空気導入用の接続部が形成された、下部に位置する一方の連結ホースと、
この一方の連結ホースに所望の間隔を開けて並行して設けた、両端が閉塞した、上部に位置する他方の連結ホースと、
上記一方の連結ホースと他方の連結ホースとを、所望の間隔で並列して、気密に連通した複数の、空気を入れない場合には縮小し、空気を入れた場合には上に向かって膨らむ空気袋とよりなり、
上記空気袋は、所望の長さ及び所望の径以上に膨らまない、材質に伸縮性のない気密の筒状の、織布又は不織布にゴムを張り合わせたゴム引布より形成された袋であり、
上記一方及び他方の連結ホースは、それぞれ材質に伸縮性のない気密のホースであり、
上記各枠体片は、上記空気導入用の接続部から空気を入れた時に、それぞれ矩形板状となることを特徴とする浴槽。
【手続補正２】
【補正対象書類名】明細書
【補正対象項目名】００１５
【補正方法】変更
【補正の内容】
【００１５】
本発明の浴槽は、浴槽の周壁部を形成するための、空気により所望の形状に膨らむ枠体と、この枠体に被せて、凹状の入浴空間を形成する防水シートとよりなり、上記枠体は、空気を入れた時に矩形板状に形成される２つの短辺側枠体片と２つの長辺側枠体片を矩形の環状に配置したものであり、この各矩形板状の枠体片は、一端が閉塞し、他端に空気導入用の接続部が形成された、下部に位置する一方の連結ホースと、この一方の連結ホースに所望の間隔を開けて並行して設けた、両端が閉塞した、上部に位置する他方の連結ホースと、上記一方の連結ホースと他方の連結ホースとを、所望の間隔で並列して、気密に連通した複数の、空気を入れない場合には縮小し、空気を入れた場合には上に向かって膨らむ空気袋とよりなり、上記空気袋は、所望の長さ及び所望の径以上に膨らまない、材質に伸縮性のない気密の筒状の、織布又は不織布にゴムを張り合わせたゴム引布より形成された袋であり、上記一方及び他方の連結ホースは、それぞれ材質に伸縮性のない気密のホースであり、上記各枠体片は、上記空気導入用の接続部から空気を入れた時に、それぞれ矩形板状となることを特徴とする。
【手続補正３】
【補正対象書類名】明細書
【補正対象項目名】００１６
【補正方法】削除
【補正の内容】